(57)【特許請求の範囲】
【請求項１】
ワイヤレス通信の方法であって、
異なるＵＥにリソースの重複するセットを割り振ることであって、前記重複するリソースが、少なくとも、第１の構成タイプを有するリソースの第１のセットと、第２の構成タイプを有するリソースの第２のセットとを含み、リソースの前記第１のセットが、第１のＵＥに割り振られ、チャネル状態情報（ＣＳＩ）測定のためのものであり、リソースの前記第２のセットが、第２のＵＥに割り振られ、受信電力測定のためのものであり、ここにおいて、リソースの前記第１のセットとリソースの前記第２のセットとが少なくとも１つのリソースを共通して有し、前記第１の構成タイプが、前記第２の構成タイプとは異なり、前記第１の構成タイプおよび前記第２の構成タイプの各々が、少なくとも、リソースタイプ、リソースパターン、および前記リソースタイプについての送信周期性を備える、割り振ることと、
リソースの前記第１のセットに少なくとも部分的に基づいてチャネル状態情報報告を受信することと、
リソースの前記第２のセットに少なくとも部分的に基づいて第１の電力測定報告を受信することと
を備える、ワイヤレス通信の方法。
【請求項２】
前記第１のセットよりも前記第２のセットにより多くの数のリソースが割り振られる、請求項１に記載の方法。
【請求項３】
前記第１のＵＥに前記第１のセットの前記割振りを送信することと、
前記第２のＵＥに前記第２のセットの前記割振りを送信することと
をさらに備える、請求項１に記載の方法。
【請求項４】
第３のＵＥに前記第１のセットの前記割振りと前記第２のセットの前記割振りとを送信することをさらに備える、請求項３に記載の方法。
【請求項５】
前記第３のＵＥの競合解消スキームに少なくとも部分的に基づいて、前記第３のＵＥから、第２の電力測定報告、チャネル状態情報報告、またはそれらの組合せを受信することをさらに備える、請求項４に記載の方法。
【請求項６】
少なくとも前記第２の電力測定報告、前記チャネル状態情報報告、またはそれらの組合せを、許可、イベント基準、または報告タイムラインに少なくとも部分的に基づいてトリガされるように構成することをさらに備える、請求項５に記載の方法。
【請求項７】
少なくとも前記第２の電力測定報告、前記チャネル状態情報報告、またはそれらの組合せが、チャネル状態情報、基準信号受信電力報告、またはそれらの組合せに少なくとも部分的に基づいて差分的に報告される、請求項５に記載の方法。
【請求項８】
ワイヤレス通信のための装置であって、
メモリと、
前記メモリに結合された少なくとも１つのプロセッサと
を備え、前記少なくとも１つのプロセッサは、
異なるＵＥにリソースの重複するセットを割り振ることであって、前記重複するリソースが、少なくとも、第１の構成タイプを有するリソースの第１のセットと、第２の構成タイプを有するリソースの第２のセットとを含み、リソースの前記第１のセットがチャネル状態情報（ＣＳＩ）のために第１のＵＥに割り振られ、リソースの前記第２のセットが受信電力測定のために第２のＵＥに割り振られ、ここにおいて、リソースの前記第１のセットとリソースの前記第２のセットとが少なくとも１つのリソースを共通して有し、前記第１の構成タイプが前記第２の構成タイプとは異なり、前記第１の構成タイプおよび前記第２の構成タイプの各々が、少なくとも、リソースタイプ、リソースパターン、および前記リソースタイプについての送信周期性を備える、割り振ることと、
リソースの前記第１のセットに少なくとも部分的に基づいてチャネル状態情報報告を受信することと、
リソースの前記第２のセットに少なくとも部分的に基づいて第１の電力測定報告を受信することと
を行うように構成された、装置。
【請求項９】
前記第１のセットよりも前記第２のセットにより多くの数のリソースが割り振られる、請求項８に記載の装置。
【請求項１０】
前記少なくとも１つのプロセッサが、
前記第１のＵＥに前記第１のセットの前記割振りを送信することと、
前記第２のＵＥに前記第２のセットの前記割振りを送信することと
を行うようにさらに構成された、請求項８に記載の装置。
【請求項１１】
前記少なくとも１つのプロセッサが、第３のＵＥに前記第１のセットの前記割振りと前記第２のセットの前記割振りとを送信するようにさらに構成された、請求項１０に記載の装置。
【請求項１２】
前記少なくとも１つのプロセッサが、前記第３のＵＥの競合解消スキームに少なくとも部分的に基づいて、前記第３のＵＥから、少なくとも第２の電力測定報告、チャネル状態情報報告、またはそれらの組合せを受信するようにさらに構成された、請求項１１に記載の装置。
【請求項１３】
前記少なくとも１つのプロセッサが、少なくとも前記第２の電力測定報告、前記チャネル状態情報報告、またはそれらの組合せを、許可、イベント基準、または報告タイムラインに少なくとも部分的に基づいてトリガされるように構成するようにさらに構成された、請求項１２に記載の装置。
【請求項１４】
少なくとも前記第２の電力測定報告、前記チャネル状態情報報告、またはそれらの組合せが、チャネル状態情報、基準信号受信電力報告、またはそれらの組合せに少なくとも部分的に基づいて差分的に報告される、請求項１２に記載の装置。
【請求項１５】
ワイヤレス通信のための装置であって、
異なるＵＥにリソースの重複するセットを割り振るための手段であって、前記重複するリソースが、少なくとも、第１の構成タイプを有するリソースの第１のセットと、第２の構成タイプを有するリソースの第２のセットとを含み、リソースの前記第１のセットがチャネル状態情報（ＣＳＩ）のために第１のＵＥに割り振られ、リソースの前記第２のセットが受信電力測定のために第２のＵＥに割り振られ、ここにおいて、リソースの前記第１のセットとリソースの前記第２のセットとが少なくとも１つのリソースを共通して有し、前記第１の構成タイプが、前記第２の構成タイプとは異なり、前記第１の構成タイプおよび前記第２の構成タイプの各々が、少なくとも、リソースタイプ、リソースパターン、および前記リソースタイプについての送信周期性を備える、割り振るための手段と、
リソースの前記第１のセットに少なくとも部分的に基づいてチャネル状態情報報告を受信するための手段と、
リソースの前記第２のセットに少なくとも部分的に基づいて第１の電力測定報告を受信するための手段と
を備える、ワイヤレス通信のための装置。
【請求項１６】
プログラムコードを記録したコンピュータ可読記憶媒体であって、前記プログラムコードは、
異なるＵＥにリソースの重複するセットを割り振るための、プロセッサによって実行されるプログラムコードであって、前記重複するリソースが、少なくとも、第１の構成タイプを有するリソースの第１のセットと、第２の構成タイプを有するリソースの第２のセットとを含み、リソースの前記第１のセットがチャネル状態情報（ＣＳＩ）のために第１のＵＥに割り振られ、リソースの前記第２のセットが受信電力測定のために第２のＵＥに割り振られ、ここにおいて、リソースの前記第１のセットとリソースの前記第２のセットとが少なくとも１つのリソースを共通して有し、前記第１の構成タイプが、前記第２の構成タイプとは異なり、前記第１の構成タイプおよび前記第２の構成タイプの各々が、少なくとも、リソースタイプ、リソースパターン、および前記リソースタイプについての送信周期性を備える、プログラムコードと、
リソースの前記第１のセットに少なくとも部分的に基づいてチャネル状態情報報告を受信するためのプログラムコードと、
リソースの前記第２のセットに少なくとも部分的に基づいて第１の電力測定報告を受信するためのプログラムコードと
を備える、コンピュータ可読記憶媒体。
【請求項１７】
前記第１の構成タイプは、ゼロ電力ＣＳＩ−ＲＳリソース、非ゼロ電力ＣＳＩ−ＲＳリソース、またはそれらの組合せを備える、請求項１に記載の方法。
【請求項１８】
前記第２の構成タイプは、ゼロ電力ＣＳＩ−ＲＳリソース、非ゼロ電力ＣＳＩ−ＲＳリソース、またはそれらの組合せを備える、請求項１に記載の方法。
【請求項１９】
前記非ゼロ電力ＣＳＩ−ＲＳリソースを前記ゼロ電力ＣＳＩ−ＲＳリソースよりも優先させることによって、前記ゼロ電力ＣＳＩ−ＲＳリソースと前記非ゼロ電力ＣＳＩ−ＲＳリソースとの間の競合を解消することをさらに備える、請求項１８に記載の方法。
【発明の詳細な説明】
【技術分野】
【０００１】
関連出願の相互参照
[0001]本出願は、開示の全体が参照により本明細書に明確に組み込まれる、２０１２年３月１９日に出願された「CHANNEL STATE INFORMATION REFERENCE SIGNAL CONFIGURATION AND REPORTING FOR COORDINATED MULTIPOINT TRANSMISSION SCHEMES」と題する米国仮特許出願第６１／６１２，９４４号、および２０１２年６月１４日に出願された「CHANNEL STATE INFORMATION REFERENCE SIGNAL CONFIGURATION AND REPORTING FOR COORDINATED MULTIPOINT TRANSMISSION SCHEMES」と題する米国仮特許出願第６１／６５９，９２３号に対する米国特許法第１１９条（ｅ）項に基づく利益を主張する。
【０００２】
[0002]本開示の態様は、一般にワイヤレス通信システムに関し、より詳細には、中継局アクティビティ状態を制御することに関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、様々なワイヤレスデバイスが都市、国家、地域、さらには地球規模で通信することを可能にする共通プロトコルを提供するために様々な電気通信規格において採用されている。新生の電気通信規格の一例はロングタームエボリューション（ＬＴＥ：Long Term Evolution）である。ＬＴＥは、第３世代パートナーシッププロジェクト（３ＧＰＰ：Third Generation Partnership Project）によって公表されたユニバーサルモバイルテレコミュニケーションシステム（ＵＭＴＳ：Universal Mobile Telecommunication System）モバイル規格の拡張セットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【０００５】
[0005]ここでは、以下の詳細な説明がより良く理解されるように、本開示の特徴および技術的利点についてやや広く概説した。以下で、本開示の追加の特徴および利点について説明する。本開示は、本開示の同じ目的を果たすための他の構造を変更または設計するための基礎として容易に利用され得ることを、当業者は諒解されたい。また、そのような等価な構成は、特許請求の範囲に記載の本開示の教示から逸脱しないことを、当業者は了解されたい。本開示を特徴づけると考えられている新規の特徴は、その編成と動作方法の両方に関して、さらなる目的および利点とともに、添付の図に関連して以下の説明を検討すればより良く理解されよう。ただし、図の各々は、例示および説明の目的で与えたものにすぎず、本開示の限界を定めるものではないことを明確に理解されたい。
【発明の概要】
【０００６】
[0006]本開示の一態様は、異なるＵＥにリソースの重複するセットを割り振ることによってオーバーヘッドを低減することを対象とする。リソースは、チャネル測定（チャネル状態情報（ＣＳＩ：channel state information）フィードバックなど）と、受信電力測定（基準信号受信電力（ＲＳＲＰ：reference signal received power）測定など）とのためのものであり得る。重複するリソースは、チャネル測定のためのリソースの第１のセットと受信電力測定のためのリソースの第２のセットとを含み得る。リソースの第１のセットは第１のＵＥに割り振られ得、リソースの第２のセットは第２のＵＥに割り振られ得る。本開示の本態様は、リソースの第１のセットとリソースの第２のセットとに基づいて、それぞれ、ＣＳＩ測定報告と受信電力測定報告とを受信することをさらに含む。
【０００７】
[0007]一構成では、ワイヤレス通信の方法を開示する。本方法は、異なるＵＥにリソースの重複するセットを割り振ることを含む。本方法はまた、リソースの第１のセットに少なくとも部分的に基づいてチャネル測定報告を受信することを含む。本方法はさらに、リソースの第２のセットに少なくとも部分的に基づいて受信電力測定報告を受信することを含む。
【０００８】
[0008]別の構成では、ワイヤレス通信の方法を開示する。本方法は、グループ化チャネル状態情報基準信号（ＣＳＩ−ＲＳ）をバーストで受信することを含み、バーストは第１の周期性を有する。本方法はまた、第２の周期性で１つまたは複数の非グループ化ＣＳＩ−ＲＳを受信することを含み得る。
【０００９】
[0009]別の構成は、異なるＵＥにリソースの重複するセットを割り振るための手段を含む装置を開示する。本装置はまた、リソースの第１のセットに少なくとも部分的に基づいてチャネル測定報告を受信するための手段を含む。本装置はさらに、リソースの第２のセットに少なくとも部分的に基づいて受信電力測定報告を受信するための手段を含む。
【００１０】
[0010]別の構成では、ワイヤレス通信の装置を開示する。本装置は、グループ化ＣＳＩ−ＲＳをバーストで受信するための手段を含み、バーストは第１の周期性を有する。本装置はまた、第２の周期性で１つまたは複数の非グループ化ＣＳＩ−ＲＳを受信するための手段を含み得る。
【００１１】
[0011]さらに別の構成では、非一時的コンピュータ可読媒体を有するワイヤレスネットワークにおけるワイヤレス通信のためのコンピュータプログラム製品を開示する。コンピュータ可読媒体は、（１つまたは複数の）プロセッサによって実行されたとき、（１つまたは複数の）プロセッサに、異なるＵＥにリソースの重複するセットを割り振ることを行わせる、非一時的プログラムコードを記録している。プログラムコードはまた、（１つまたは複数の）プロセッサに、リソースの第１のセットに少なくとも部分的に基づいてチャネル測定報告を受信することを行わせる。プログラムコードはさらに、（１つまたは複数の）プロセッサに、リソースの第２のセットに少なくとも部分的に基づいて受信電力測定報告を受信することを行わせる。
【００１２】
[0012]さらにまた別の構成では、非一時的コンピュータ可読媒体を有するワイヤレスネットワークにおけるワイヤレス通信のためのコンピュータプログラム製品を開示する。コンピュータ可読媒体は、（１つまたは複数の）プロセッサによって実行されたとき、（１つまたは複数の）プロセッサに、グループ化ＣＳＩ−ＲＳをバーストで受信することであって、バーストが第１の周期性を有する、受信することを行わせる、非一時的プログラムコードを記録している。プログラムコードはまた、（１つまたは複数の）プロセッサに、第２の周期性で１つまたは複数の非グループ化ＣＳＩ−ＲＳを受信することを行わせ得る。
【００１３】
[0013]別の構成は、メモリと、メモリに結合された少なくとも１つのプロセッサとを有するワイヤレス通信を開示する。（１つまたは複数の）プロセッサは、異なるＵＥにリソースの重複するセットを割り振るように構成される。（１つまたは複数の）プロセッサはまた、リソースの第１のセットに少なくとも部分的に基づいてチャネル測定報告を受信するように構成される。（１つまたは複数の）プロセッサはさらに、リソースの第２のセットに少なくとも部分的に基づいて受信電力測定報告を受信するように構成される。
【００１４】
[0014]また別の構成は、メモリと、メモリに結合された少なくとも１つのプロセッサとを有するワイヤレス通信を開示する。（１つまたは複数の）プロセッサは、グループ化ＣＳＩ−ＲＳをバーストで受信するように構成され、バーストは第１の周期性を有する。（１つまたは複数の）プロセッサはまた、第２の周期性を有する非グループ化ＣＳＩ−ＲＳを受信するようにさらに構成され得る。
【００１５】
[0015]以下で、本開示の追加の特徴および利点について説明する。本開示は、本開示の同じ目的を果たすための他の構造を変更または設計するための基礎として容易に利用され得ることを、当業者は諒解されたい。また、そのような等価な構成は、特許請求の範囲に記載の本開示の教示から逸脱しないことを、当業者は了解されたい。本開示を特徴づけると考えられる新規の特徴は、その編成と動作方法の両方に関して、さらなる目的および利点とともに、添付の図に関連して以下の説明を検討すればより良く理解されよう。ただし、図の各々は、例示および説明の目的で与えたものにすぎず、本開示の限界を定めるものではないことを明確に理解されたい。
【００１６】
[0016]本開示の特徴、性質、および利点は、全体を通じて同様の参照符号が同様のものを指す図面とともに、以下に記載する詳細な説明を読めば、より明らかになろう。
【図面の簡単な説明】
【００１７】
【図１】[0017]ネットワークアーキテクチャの一例を示す図。
【図２】[0018]アクセスネットワークの一例を示す図。
【図３】[0019]ＬＴＥにおけるダウンリンクフレーム構造の一例を示す図。
【図４】[0020]ＬＴＥにおけるアップリンクフレーム構造の一例を示す図。
【図５】[0021]ユーザプレーンおよび制御プレーンのための無線プロトコルアーキテクチャの一例を示す図。
【図６】[0022]アクセスネットワーク中の発展型ノードＢおよびユーザ機器の一例を示す図。
【図７】[0023]本開示の諸態様による、ネットワークにおけるダウンリンクフレーム構造中のチャネル状態情報基準信号パターンを示す図。
【図８Ａ】[0024]本開示の諸態様による、間欠受信スキームの場合のチャネル状態情報基準信号のタイミングを示す図。
【図８Ｂ】本開示の諸態様による、間欠受信スキームの場合のチャネル状態情報基準信号のタイミングを示す図。
【図８Ｃ】本開示の諸態様による、間欠受信スキームの場合のチャネル状態情報基準信号のタイミングを示す図。
【図９】[0025]本開示の一態様による、チャネル状態情報基準信号を構成するための方法を示すブロック図。
【図１０】[0026]例示的な装置中の様々なモジュール／手段／コンポーネント間のデータフローを示す概念データフロー図。
【図１１】[0027]例示的な装置中の様々なモジュール／手段／コンポーネントを示すブロック図。
【図１２】[0028]本開示の一態様による、チャネル状態情報基準信号を受信構成するための方法を示すブロック図。
【図１３】[0029]本開示の諸態様による、チャネル状態情報基準信号リソースを報告するための方法を示すブロック図。
【図１４】[0030]例示的な装置中の様々なモジュール／手段／コンポーネント間のデータフローを示す概念データフロー図。
【図１５】[0031]例示的な装置中の様々なモジュール／手段／コンポーネントを示すブロック図。
【詳細な説明】
【００１８】
[0032]添付の図面に関して以下に示す詳細な説明は、様々な構成を説明することを意図したものであり、本明細書で説明する概念が実施され得る唯一の構成を表すことを意図したものではない。詳細な説明は、様々な概念の完全な理解を与えるための具体的な詳細を含む。ただし、これらの概念はこれらの具体的な詳細なしに実施され得ることが当業者には明らかであろう。いくつかの事例では、そのような概念を不明瞭にしないように、よく知られている構造およびコンポーネントをブロック図の形式で示す。
【００１９】
[0033]様々な装置および方法に関して電気通信システムの態様を提示する。これらの装置および方法は、以下の詳細な説明において説明され、（「要素」と総称される）様々なブロック、モジュール、コンポーネント、回路、ステップ、プロセス、アルゴリズムなどによって添付の図面に示される。これらの要素は、電子ハードウェア、コンピュータソフトウェア、またはそれらの任意の組合せを使用して実装され得る。そのような要素をハードウェアとして実装するかソフトウェアとして実装するかは、特定の適用例および全体的なシステムに課された設計制約に依存する。
【００２０】
[0034]例として、要素、または要素の任意の部分、または要素の任意の組合せは、１つまたは複数のプロセッサを含む「処理システム」を用いて実装され得る。プロセッサの例には、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されるべきである。
【００２１】
[0035]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００２２】
[0036]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００２３】
[0037]Ｅ−ＵＴＲＡＮは、発展型ノードＢ（ｅノードＢ）１０６と他のｅノードＢ１０８とを含む。ｅノードＢ１０６は、ＵＥ１０２に対してユーザプレーンプロトコル終端と制御プレーンプロトコル終端とを与える。ｅノードＢ１０６は、バックホール（たとえば、Ｘ２インターフェース）を介して他のｅノードＢ１０８に接続され得る。ｅノードＢ１０６は、基地局、送受信基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅノードＢ１０６は、ＵＥ１０２にＥＰＣ１１０へのアクセスポイントを与える。ＵＥ１０２の例には、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、また、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００２４】
[0038]ｅノードＢ１０６は、たとえば、Ｓ１インターフェースを介して、ＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通って転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネット、イントラネット、ＩＰマルチメディアサブシステム（ＩＭＳ：IP Multimedia Subsystem）、およびＰＳストリーミングサービス（ＰＳＳ：PS Streaming Service）を含み得る。
【００２５】
[0039]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅノードＢ２０８は、セル２０２のうちの１つまたは複数と重複するセルラー領域２１０を有し得る。より低い電力クラスのｅノードＢ２０８は、リモートラジオヘッド（ＲＲＨ：remote radio head）、フェムトセル（たとえば、ホームｅノードＢ（ＨｅＮＢ：home eNodeB））、ピコセル、またはマイクロセルであり得る。マクロｅノードＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅノードＢ２０４は、無線ベアラ制御、承認制御、モビリティ制御、スケジューリング、セキュリティ、およびサービングゲートウェイ１１６への接続性を含む、すべての無線関連機能を担当する。
【００２６】
[0040]アクセスネットワーク２００によって採用される変調および多元接続スキームは、展開されている特定の電気通信規格に応じて異なり得る。ＬＴＥアプリケーションでは、周波数分割複信（ＦＤＤ：frequency division duplexing）と時分割複信（ＴＤＤ：time division duplexing）の両方をサポートするために、ＯＦＤＭがダウンリンク上で使用され、ＳＣ−ＦＤＭＡがアップリンク上で使用される。当業者なら以下の詳細な説明から容易に諒解するように、本明細書で提示する様々な概念は、ＬＴＥアプリケーションに好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを利用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００２７】
[0041]ｅノードＢ２０４は、ＭＩＭＯ技術をサポートする複数のアンテナを有し得る。ＭＩＭＯ技術の使用により、ｅノードＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでダウンリンク上で複数の送信アンテナを通じて空間的にプリコーディングされた各ストリームを送信することによって達成される。空間的にプリコーディングされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。アップリンク上で、各ＵＥ２０６は、空間的にプリコーディングされたデータストリームを送信し、これにより、ｅノードＢ２０４は、空間的にプリコーディングされた各データストリームのソースを識別することが可能になる。
【００２８】
[0042]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２９】
[0043]以下の詳細な説明では、ダウンリンク上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間する。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。アップリンクは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００３０】
[0044]図３は、ＬＴＥにおけるダウンリンクフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは、マルチプルなリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかはダウンリンク基準信号（ＤＬ−ＲＳ：downlink reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ダウンリンク共有チャネル（ＰＤＳＣＨ：physical downlink shared channel）がマッピングされるリソースブロック上でのみ送信される。各リソース要素によって搬送されるビット数は変調スキームに依存する。したがって、ＵＥが受信するリソースブロックが多いほど、また変調スキームが高いほど、ＵＥのデータレートは高くなる。
【００３１】
[0045]図４は、ＬＴＥにおけるアップリンクフレーム構造の一例を示す図４００である。アップリンクのために利用可能なリソースブロックは、データセクションと制御セクションとに区分され得る。制御セクションは、システム帯域幅の２つのエッジにおいて形成され得、設定可能なサイズを有し得る。制御セクション中のリソースブロックは、制御情報を送信するためにＵＥに割り当てられ得る。データセクションは、制御セクション中に含まれないすべてのリソースブロックを含み得る。アップリンクフレーム構造は、データセクション中の連続するサブキャリアのすべてを単一のＵＥに割り当てることを可能にし得る、連続サブキャリアを含むデータセクションを生じる。
【００３２】
[0046]ＵＥには、ｅノードＢに制御情報を送信するために、制御セクション中のリソースブロック４１０ａ、４１０ｂが割り当てられ得る。ＵＥには、ｅノードＢにデータを送信するために、データセクション中のリソースブロック４２０ａ、４２０ｂも割り当てられ得る。ＵＥは、制御セクション中の割り当てられたリソースブロック上の物理アップリンク制御チャネル（ＰＵＣＣＨ：physical uplink control channel）中で制御情報を送信し得る。ＵＥは、データセクション中の割り当てられたリソースブロック上の物理アップリンク共有チャネル（ＰＵＳＣＨ：physical uplink shared channel）中でデータのみまたはデータと制御情報の両方を送信し得る。アップリンク送信は、サブフレームの両方のスロットにわたり得、周波数をまたいでホッピングし得る。
【００３３】
[0047]初期システムアクセスを実行し、物理ランダムアクセスチャネル（ＰＲＡＣＨ：physical random access channel）４３０中でアップリンク同期を達成するためにリソースブロックのセットが使用され得る。ＰＲＡＣＨ４３０は、ランダムシーケンスを搬送し、いかなるアップリンクデータ／シグナリングも搬送しない。各ランダムアクセスプリアンブルは、６つの連続するリソースブロックに対応する帯域幅を占有する。開始周波数はネットワークによって指定される。すなわち、ランダムアクセスプリアンブルの送信は、ある特定の時間リソースおよび周波数リソースに制限される。ＰＲＡＣＨには周波数ホッピングはない。ＰＲＡＣＨ試行は単一のサブフレーム（１ｍｓ）中でまたは少数の連続サブフレームのシーケンス中で搬送され、ＵＥは、フレーム（１０ｍｓ）ごとに単一のＰＲＡＣＨ試行だけを行うことができる。
【００３４】
[0048]図５は、ＬＴＥにおけるユーザプレーンおよび制御プレーンのための無線プロトコルアーキテクチャの一例を示す図５００である。ＵＥおよびｅノードＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅノードＢとの間のリンクを担う。
【００３５】
[0049]ユーザプレーンでは、Ｌ２レイヤ５０８は、ネットワーク側のｅノードＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００３６】
[0050]ＰＤＣＰサブレイヤ５１４は、異なる無線ベアラと論理チャネルとの間での多重化をもたらす。ＰＤＣＰサブレイヤ５１４はまた、無線送信オーバーヘッドを低減するための上位レイヤデータパケットに関するヘッダ圧縮と、データパケットを暗号化することによるセキュリティと、ｅノードＢ間のＵＥに関するハンドオーバサポートとをもたらす。ＲＬＣサブレイヤ５１２は、上位レイヤデータパケットのセグメンテーションおよびリアセンブリと、紛失データパケットの再送信と、ハイブリッド自動再送要求（ＨＡＲＱ：hybrid automatic repeat request）に起因する、順が狂った受信を補償するデータパケットの並べ替えとをもたらす。ＭＡＣサブレイヤ５１０は、論理チャネルとトランスポートチャネルとの間の多重化をもたらす。ＭＡＣサブレイヤ５１０はまた、ＵＥの間で１つのセル内の様々な無線リソース（たとえば、リソースブロック）を割り振ることを担う。ＭＡＣサブレイヤ５１０はまたＨＡＲＱ動作を担う。
【００３７】
[0051]制御プレーンでは、ＵＥおよびｅノードＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得すること、およびｅノードＢとＵＥとの間のＲＲＣシグナリングを使用して下位レイヤを構成することを担う。
【００３８】
[0052]図６は、アクセスネットワーク中でＵＥ６５０と通信しているｅノードＢ６１０のブロック図である。ダウンリンクでは、コアネットワークからの上位レイヤパケットが、コントローラ／プロセッサ６７５に与えられる。コントローラ／プロセッサ６７５は、Ｌ２レイヤの機能を実装する。ダウンリンクでは、コントローラ／プロセッサ６７５は、様々な優先度メトリックに基づいて、ヘッダ圧縮、暗号化、パケットのセグメンテーションおよび並べ替え、論理チャネルとトランスポートチャネルとの間の多重化、ＵＥ６５０への無線リソース割振りをもたらす。コントローラ／プロセッサ６７５はまた、ＨＡＲＱ動作、紛失パケットの再送信、およびＵＥ６５０へのシグナリングを担う。
【００３９】
[0053]ＴＸプロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調スキーム（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを容易にするために、コーディングとインターリービングとを含む。次いで、コーディングされ変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコーディングされる。チャネル推定器６７４からのチャネル推定値は、コーディングおよび変調スキームを決定するために、ならびに空間処理のために使用され得る。チャネル推定値は、ＵＥ６５０によって送信される基準信号および／またはチャネル状態フィードバックから導出され得る。次いで、各空間ストリームは、別個の送信機６１８ＴＸを介して異なるアンテナ６２０に与えられる。各送信機６１８ＴＸは、送信のためにそれぞれの空間ストリームでＲＦキャリアを変調する。
【００４０】
[0054]ＵＥ６５０において、各受信機６５４ＲＸは、それのそれぞれのアンテナ６５２を通じて信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために情報に対して空間処理を実行する。マルチプルな空間ストリームがＵＥ６５０に宛てられた場合、それらはＲＸプロセッサ６５６によって単一のＯＦＤＭシンボルストリームへと合成され得る。ＲＸプロセッサ６５６は、次いで、高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅノードＢ６１０によって送信される、可能性が最も高い信号のコンスタレーションポイントを決定することによって、復元され、復調される。これらの軟判定は、チャネル推定器６５８によって計算されるチャネル推定値に基づき得る。軟判定は、次いで、物理チャネル上でｅノードＢ６１０によって最初に送信された（originally transmitted）データおよび制御信号を復元するために、復号され、デインターリーブされる。データおよび制御信号は、次いで、コントローラ／プロセッサ６５９に与えられる。
【００４１】
[0055]コントローラ／プロセッサ６５９はＬ２レイヤを実装する。コントローラ／プロセッサは、プログラムコードとデータとを記憶するメモリ６６０に関連付けられ得る。メモリ６６０は、コンピュータ可読媒体と呼ばれることがある。アップリンクでは、コントローラ／プロセッサ６５９は、コアネットワークからの上位レイヤパケットを復元するために、トランスポートチャネルと論理チャネルとの間の多重分離、パケットリアセンブリ、暗号解読（deciphering）、ヘッダの展開（decompression）、および制御信号処理を提供する。上位レイヤパケットは、次いで、Ｌ２レイヤの上のすべてのプロトコルレイヤを表す、データシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００４２】
[0056]アップリンクでは、データソース６６７は、コントローラ／プロセッサ６５９に上位レイヤパケットを与えるために使用される。データソース６６７は、Ｌ２レイヤの上のすべてのプロトコルレイヤを表す。ｅノードＢ６１０によるダウンリンク送信に関して説明した機能と同様に、コントローラ／プロセッサ６５９は、ヘッダ圧縮、暗号化、パケットのセグメンテーションおよび並べ替え、ｅノードＢ６１０による無線リソース割振りに基づいた論理チャネルとトランスポートチャネルとの間の多重化をもたらすことによって、ユーザプレーンおよび制御プレーンのためのＬ２レイヤを実装する。コントローラ／プロセッサ６５９はまた、ＨＡＲＱ動作、紛失パケットの再送信、およびｅノードＢ６１０へのシグナリングを担う。
【００４３】
[0057]ｅノードＢ６１０によって送信される基準信号またはフィードバックからの、チャネル推定器６５８によって導出されるチャネル推定値は、適切なコーディングおよび変調スキームを選択することと、空間処理を容易にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００４４】
[0058]アップリンク送信は、ＵＥ６５０における受信機機能に関して説明した方法と同様の方法でｅノードＢ６１０において処理される。各受信機６１８ＲＸは、それのそれぞれのアンテナ６２０を通じて信号を受信する。各受信機６１８ＲＸは、ＲＦキャリア上に変調された情報を復元し、ＲＸプロセッサ６７０に情報を与える。ＲＸプロセッサ６７０はＬ１レイヤを実装し得る。
【００４５】
[0059]コントローラ／プロセッサ６７５はＬ２レイヤを実装する。コントローラ／プロセッサ６７５は、プログラムコードとデータとを記憶するメモリ６７６に関連付けられ得る。メモリ６７６は、コンピュータ可読媒体と呼ばれることがある。アップリンクでは、コントローラ／プロセッサ６７５は、ＵＥ６５０からの上位レイヤパケットを復元するために、トランスポートチャネルと論理チャネルとの間の多重分離、パケットリアセンブリ、暗号解読、ヘッダの展開、および制御信号処理を提供する。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００４６】
ＣｏＭＰについてのＣＳＩ−ＲＳ構成／報告オプション  
[0060]ＬＴＥシステムでは、ＵＥとマルチプルなｅノードＢとの間の通信は、多地点協調送信スキーム（ＣｏＭＰ）において協調され得る。ＣｏＭＰスキームは、協調スケジューリングおよび協調ビームフォーミング（ＣＳ／ＣＢ：coordinated scheduling and coordinated beam forming）スキームと、動的ポイント選択（ＤＰＳ：dynamic point selection）スキームと、ジョイント送信（ＪＴ：joint transmission）スキームとを含み得る。ジョイント送信スキームは、コヒーレントまたは非コヒーレントであり得る。同種ＣｏＭＰスキームは、同じマクロサイトのセルにわたるｅノードＢ、または３つの近隣マクロサイトにわたるｅノードＢを協調させ得る。たとえば、異種ＣｏＭＰスキームは、マクロセルとそれのピコセル（リモートラジオヘッド（ＲＲＨ）を含む）とにわたるｅノードＢを協調させ得、マクロセルとリモートラジオヘッドとは、同じセルＩＤまたは異なるセルＩＤで構成され得る。異種ＣｏＭＰスキームにおけるマクロセルとリモートラジオヘッドとのための同じセルＩＤの使用は、物理セルＩＤへの依存性を低減する。
【００４７】
[0061]一般に、チャネル状態情報基準信号（ＣＳＩ−ＲＳ）はチャネル測定のために使用される。ＬＴＥリリース１０は、非ゼロ電力（ＮＺＰ：non-zero power）ＣＳＩ−ＲＳとゼロ電力（ＺＰ：zero power）ＣＳＩ−ＲＳとをサポートする。非ゼロ電力ＣＳＩ−ＲＳは基準信号を含み、チャネル測定のために使用され得る。ゼロ電力ＣＳＩ−ＲＳは、近隣セルに対応する非ゼロ電力パターンをミュート（muting）するために指定され得るミュートされたトーン（muted tones）である。これらのミュートされた非ゼロ電力パターンは、サービングセルにおいてチャネル測定および／または干渉測定のために使用され得る。
【００４８】
[0062]ＬＴＥリリース１１では、ＣｏＭＰスキームは、ＣＳＩ−ＲＳが１つよりも多くの送信ポイントについてのチャネル測定値を含む仕様を含み得る。そのようなスキームは、ＣＳＩ−ＲＳベースの電力測定のための１つよりも多くの非ゼロ電力ＣＳＩ−ＲＳリソースをサポートし、ミューティングの改善のためにさらなるゼロ電力ＣＳＩ−ＲＳリソースを使用し得る。ＣｏＭＰスキームにおける干渉測定は、修正されたゼロ電力ＣＳＩ−ＲＳおよび非ゼロ電力ＣＳＩ−ＲＳリソース構成に基づき得る。
【００４９】
[0063]場合によっては、ＣＳＩ−ＲＳリソースは、ＣＳＩフィードバック（たとえば、ＲＩ／ＰＭＩ／ＣＱＩ報告）またはＣＳＩ−ＲＳベースの基準信号受信電力（ＲＳＲＰ）報告のいずれかのために使用され得る。詳細には、特定のＣＳＩ−ＲＳリソースは、ＣＳＩ−ＲＳＲＰ報告および／またはＣＳＩフィードバックの１つの事例に対応し得る。さらに、送信ポイントまたはセルを越えてＣＳＩ−ＲＳリソースの使用を拡張することにより、アグリゲートされたフィードバックなど、フィードバックの新しい形態が可能になり得る。
【００５０】
[0064]特定の非ゼロ電力ＣＳＩ−ＲＳリソースは、アンテナポートカウント（ａｎｔｅｎｎａＰｏｒｔｓＣｏｕｎｔ）と、リソース構成（ｒｅｓｏｕｒｃｅＣｏｎｆｉｇ）と、サブフレーム構成（ｓｕｂｆｒａｍｅＣｏｎｆｉｇ）との組合せに基づいて定義され得る。アンテナポートカウントは、ＣＳＩ−ＲＳリソースごとに独立に構成され得るポートの数である。したがって、ＣＳＩリソースは、同数のアンテナポートを有しないことがある。リソース構成は、トーンまたはリソース要素（ＲＥ：resource element）によって使用されるべきＣＳＩ−ＲＳのパターンを指定する。ＲＥパターンは独立に構成され得る。サブフレーム構成は、ＣＳＩ−ＲＳ送信のための周期性およびサブフレームオフセットを指定する。周期性およびサブフレームオフセットは、別個に、または一緒に構成され得る。上述のパラメータは、ＣＳＩ−ＲＳがどのように送信されるべきかを示すためのサブパラメータを含み得る。
【００５１】
[0065]ＬＴＥリリース１０では、ＣＳＩ−ＲＳスクランブリングシーケンス初期化は物理セルＩＤに基づく。代替として、ＬＴＥリリース１１では、スクランブリングシーケンスのために、物理セルＩＤの代わりに仮想セルＩＤが使用され得る。すなわち、ＬＴＥリリース１１では、ＣＳＩ−ＲＳスクランブリングシーケンス初期化は仮想セルＩＤに基づき得る。仮想セルＩＤは、無線リソース制御（ＲＲＣ）サブレイヤを介して各ＣＳＩ−ＲＳリソースについて設定可能である。
【００５２】
[0066]ＬＴＥリリース１１はまた、（１つまたは複数の）ＣＳＩ−ＲＳベースの受信電力測定値と、ＣＳＩ−ＲＳＲＰなどのフィードバックとをサポートし得る。ＣＳＩ−ＲＳＲＰは、ＣｏＭＰセット管理を実行するために使用され得る。さらに、ＵＥは、周期的にＣＳＩ−ＲＳＲＰ測定を実行し、受信電力測定値を報告し得る。測定されたリソースのサブセットは、ランクインジケーション（ＲＩ：rank indication）、プリコーディングマトリクス情報（ＰＭＩ：precoding matrix information）およびチャネル品質インジケーション（ＣＱＩ：channel quality indication）報告などの実際のＣＳＩフィードバックのために構成され得る。一構成では、ＣＳＩ−ＲＳＲＰは、約４〜８個のＣＳＩ−ＲＳリソースについて報告され得る。
【００５３】
[0067]場合によっては、ＵＥは、マルチプルなＣＳＩ−ＲＳリソースのためのＲＩ／ＰＭＩ／ＣＱＩフィードバックを実行し得る。すなわち、ＲＩ／ＰＭＩ／ＣＱＩフィードバックは、ＣＳＩ−ＲＳＲＰ測定値とＣＳＩ測定値とに基づき得る。ＣＳＩ報告は、約２つまたは３つのＣＳＩ−ＲＳリソースのために実行され得る。一構成では、計算上の複雑さを低減するために、ＣＳＩは、ただ２つのＣＳＩ−ＲＳリソースについてのみ実行され得る。
【００５４】
[0068]さらに、ＣＳＩおよび／またはＣＳＩ−ＲＳＲＰ測定についての信号対干渉雑音比（ＳＩＮＲ）を改善するために、ゼロ電力ＣＳＩ−ＲＳ構成は、近隣セルによるミューティングを容易にするように指定され得る。ゼロ電力ＣＳＩ−ＲＳ構成の数は、ゼロ電力ＣＳＩ−ＲＳがＣＳＩフィードバックのためにのみ使用されるのか、ＣＳＩとＣＳＩ−ＲＳＲＰ測定の両方のために使用されるのかに依存し得る。
【００５５】
[0069]ＣＳＩフィードバックは、周期的または非周期的のいずれかであり得る。非周期フィードバックは要求ごとに実行され、物理ダウンリンク制御チャネル（ＰＤＣＣＨ）など、制御チャネルに対する許可を通じてネットワークによってトリガされ得る。非周期フィードバックの報告は、物理アップリンク共有チャネル（ＰＵＳＣＨ）など、共有アップリンクチャネル上で実行され得る。非周期フィードバックは、より高いペイロード送信をサポートし得る。異なる性能／オーバーヘッドトレードオフに基づいて、様々な報告モードが定義される。
【００５６】
[0070]周期フィードバックの場合も、様々な報告モードが定義される。周期ＣＳＩフィードバックは、半静的に構成された特定のタイムラインに従う。さらに、周期フィードバックは、周期ＣＳＩフィードバックがＰＵＣＣＨなどのアップリンク制御チャネル上で送信されるので、制限されたペイロードを有し得る。
【００５７】
[0071]本開示の態様によれば、異なるＣＳＩ−ＲＳ構成タイプが定義され得る。第１のＣＳＩ−ＲＳ構成タイプはＣＳＩ−ＲＳＲＰ測定のためのＣＳＩ−ＲＳリソースを含む。第２のＣＳＩ−ＲＳ構成タイプはＣＳＩフィードバックのためのＣＳＩ−ＲＳリソースを含む。第２のＣＳＩ−ＲＳ構成タイプはさらに、チャネル測定のためのＣＳＩ−ＲＳリソースと干渉測定のためのＣＳＩ−ＲＳリソースとに区別され得る。第３のＣＳＩ−ＲＳ構成タイプはゼロ電力ＣＳＩ−ＲＳリソースを含む。第３のＣＳＩ−ＲＳ構成タイプでのゼロ電力ＣＳＩ−ＲＳリソースは、近隣セル中の測定を改善するためのミューティングのため、および干渉測定のために指定され得る。
【００５８】
[0072]本開示の一態様によれば、第１のＣＳＩ−ＲＳ構成タイプのパラメータは、アンテナポートの数（たとえば、ａｎｔｅｎｎａＰｏｒｔｓＣｏｕｎｔ）と、リソースパターン（たとえば、ｒｅｓｏｕｒｃｅＣｏｎｆｉｇ）と、ＣＳＩ−ＲＳ送信のための周期性／オフセット（たとえば、ｓｕｂｆｒａｍｅＣｏｎｆｉｇ）と、仮想セルＩＤ（たとえば、パラメータＸ）とを含み得る。第１のＣＳＩ−ＲＳ構成タイプのために構成されたＣＳＩ−ＲＳリソースの数はＫ1と呼ばれる。
【００５９】
[0073]本開示の別の態様によれば、第２のＣＳＩ−ＲＳ構成タイプのパラメータは、第１のＣＳＩ−ＲＳ構成タイプのパラメータと同様である。第２のＣＳＩ−ＲＳ構成タイプのために構成されたＣＳＩ−ＲＳリソースの数はＫ2と呼ばれる。一構成では、ＣＳＩ−ＲＳＲＰ測定のために割り振られたＣＳＩ−ＲＳリソースの数は、ＣＳＩフィードバックのために割り振られたＣＳＩ−ＲＳリソースの数よりも大きい。したがって、この構成では、Ｋ1はＫ2よりも大きいかまたはそれに等しい。
【００６０】
[0074]本開示のまた別の態様によれば、第３のＣＳＩ−ＲＳ構成タイプは２つの代替形態を含み得る。第１の代替形態の場合、第３のＣＳＩ−ＲＳ構成タイプのパラメータは、単一の周期性／オフセットと、ミュートされ得る４つのポートパターンの組合せとを含む。第２の代替形態の場合、第３のＣＳＩ−ＲＳ構成タイプのパラメータは、複数の周期性／オフセットを含み、および／または４つ未満のポートをもつパターンをミュートすることを可能にする。第３のＣＳＩ−ＲＳ構成タイプのためにミュートされるＣＳＩ−ＲＳリソースの数はＫ3と呼ばれる。
【００６１】
[0075]上記で説明したように、一構成では、ＣＳＩ−ＲＳＲＰ測定のために割り振られたＣＳＩ−ＲＳリソースの数は、ＣＳＩフィードバックのために割り振られたＣＳＩ−ＲＳリソースの数よりも大きい。したがって、この構成では、Ｋ1はＫ2よりも大きいかまたはそれに等しい。さらに、別の構成では、ＣＳＩフィードバックのために構成されたＣＳＩ−ＲＳリソースの数は、ゼロ電力ＣＳＩ−ＲＳとして構成されたＣＳＩ−ＲＳリソースの数よりも大きいかまたはそれに等しい（すなわち、Ｋ1はＫ2よりも大きいかまたはそれに等しく、Ｋ2はＫ3よりも大きいかまたはそれに等しい）。本構成では、ミューティングは、ＣＳＩフィードバックのためにのみ実行され、ＣＳＩ−ＲＳベースのＣＳＩ−ＲＳＲＰ測定のためには実行されないことがある。
【００６２】
[0076]別の構成では、ＣＳＩ−ＲＳＲＰ測定のために割り振られたＣＳＩ−ＲＳリソースの数は、ゼロ電力ＣＳＩ−ＲＳのために割り振られたＣＳＩ−ＲＳリソースの数よりも大きい。さらに、ゼロ電力ＣＳＩ−ＲＳのために割り振られたＣＳＩ−ＲＳリソースの数は、ＣＳＩフィードバックのために構成されたＣＳＩ−ＲＳリソースの数よりも大きくなり得る（すなわち、Ｋ1はＫ3よりも大きいかまたはそれに等しく、Ｋ3はＫ2よりも大きいかまたはそれに等しい）。本構成では、ミューティングは、ＣＳＩフィードバックとＣＳＩ−ＲＳベースのＣＳＩ−ＲＳＲＰ報告の両方のために実行され得る。
【００６３】
[0077]場合によっては、非ゼロ電力ＣＳＩ−ＲＳリソースはゼロ電力ＣＳＩ−ＲＳリソースと重複し得る。すなわち、非ゼロ電力ＣＳＩ−ＲＳリソースは、ゼロ電力ＣＳＩ−ＲＳリソースと同じリソース要素にマッピングされ得る。重複は、完全重複または部分重複であり得る。一構成では、非ゼロ電力ＣＳＩ−ＲＳリソースがゼロ電力ＣＳＩ−ＲＳリソースに勝る優先度を得ることを指定することによって、非ゼロ電力ＣＳＩ−ＲＳリソースとゼロ電力ＣＳＩ−ＲＳリソースとの重複は解決され得る。
【００６４】
[0078]さらに、場合によっては、同じＣＳＩ−ＲＳパターンは、異なる測定（たとえば、ＣＳＩ−ＲＳＲＰ測定およびＣＳＩフィードバック）のために使用され得る。すなわち、第１のＣＳＩ−ＲＳ構成タイプは、送信されるＣＳＩ−ＲＳ基準信号の数を削減するために第２のＣＳＩ−ＲＳ構成タイプと重複し得る（すなわち、ＣＳＩ−ＲＳＲＰ測定とチャネル測定の両方のためにＣＳＩ−ＲＳ送信を再利用し得る）。より詳細には、ＵＥに送信されるＣＳＩ−ＲＳパターンは、第１のＣＳＩ−ＲＳ構成と第２のＣＳＩ−ＲＳ構成とについて同じリソースを指し得る。
【００６５】
[0079]たとえば、図７に示すように、４つの送信機をもつ送信ポイントは、ＵＥ１など、ＣＳＩフィードバックを実行するＵＥのために４つのポート７１０を用いてＣＳＩ−ＲＳを送信し得る。同じ送信ポイントの場合、このポイントについてのＣＳＩ−ＲＳＲＰを測定するＵＥは、他のＵＥのための４ポートパターン７１０のサブセットである２ポートパターン７２０を介してシグナリングされ得る。これは、図７に示されており、ＵＥ２は、ＣＳＩ−ＲＳＲＰ測定のために４ポートパターン７１０のサブセット（たとえば、２ポートパターン７２０）を使用する。第１のＣＳＩ−ＲＳ構成タイプと第２のＣＳＩ−ＲＳ構成タイプとの間の重複がなければ、ｅノードＢが別個の２ポートパターンをＵＥ２に与えるので、オーバーヘッドは増加する。第１のＣＳＩ−ＲＳ構成タイプと第２のＣＳＩ−ＲＳ構成タイプとにわたるＣＳＩ−ＲＳ送信の再利用は、第１のＣＳＩ−ＲＳ構成タイプと第２のＣＳＩ−ＲＳ構成タイプとが異なる周期性で構成された場合、いくつかのサブフレームにおいてのみ起こり得る。これは、ＣＳＩ−ＲＳＲＰ測定とＣＳＩ測定とが異なる周期性に基づくように構成された場合に当てはまり得る。
【００６６】
[0080]別の例として、単一のＵＥは、ＣＳＩフィードバックのための４ポート構成とＣＳＩ−ＲＳＲＰ測定のための２ポート構成とを受信し得る。この例では、２ポート構成は４ポート構成と重複する。したがって、重複の場合、ＵＥは、様々な選択基準に基づいて、ＣＳＩ−ＲＳＲＰ測定のために使用すべきポートとＣＳＩフィードバックのために使用すべきポートとを選択し得る。
【００６７】
[0081]ＣＳＩ−ＲＳパターンが重複するときには、第１のＣＳＩ−ＲＳ構成タイプと第２のＣＳＩ−ＲＳ構成タイプとにおける重複するパターンについて指定された異なるセルＩＤに起因して、競合がまた生じ得る。これらの重複は、ＵＥの視点からは誤りと見なされないことがある。たとえば、重複するパターンが一貫している場合、ＵＥは、独立して、ＣＳＩ−ＲＳＲＰ報告については第１のＣＳＩ−ＲＳ構成タイプに従い、ＣＳＩ報告については第２のＣＳＩ−ＲＳ構成タイプに従い得る。
【００６８】
[0082]本開示の一態様によれば、第１のＣＳＩ−ＲＳ構成タイプと第２のＣＳＩ−ＲＳ構成タイプとにおける重複するパターンが異なるセルＩＤを指定する場合、様々なオプションが指定され得る。第１のオプションでは、重複するパターンのうちの１つは、指定された優先度に基づいて選定され、優先度は、あらかじめ決定され得る。たとえば、ＣＳＩフィードバックのための構成は、ＣＳＩ−ＲＳＲＰ測定のための構成に勝る優先度を有し得る。
【００６９】
[0083]第２のオプションでは、重複するパターンは無視され、重複しないパターンが選択され得る。すなわち、第２のオプションは、ＣＳＩ−ＲＳ構成の重複を無視する。第３のオプションでは、競合する重複するパターンは誤り状態（たとえば、ＲＲＣ構成誤り）であると見なされ、ＣＳＩ−ＲＳ構成全体は無視される。第２および第３のオプションでは、ネットワークは、誤り状態を緩和するように指定される。第４のオプションでは、重複するパターンは、誤り事例として扱われないことがある。代わりに、ＵＥは、構成されたＣＳＩ−ＲＳ構成に従ってＣＳＩ−ＲＳＲＰおよび／またはＣＳＩ測定を別個に行い得る。このＵＥ挙動は、ネットワークが、重複するＣＳＩ−ＲＳ構成のすべてを衝突する基準信号と同じリソース要素上で送信する事例に対応し得る。
【００７０】
[0084]別の構成によれば、ＣＳＩ−ＲＳベースのＣＳＩ−ＲＳＲＰは、いくつかの異なる報告スキームを使用して報告され得る。第１のＣＳＩ−ＲＳＲＰ報告スキームでは、報告は、ｅノードＢによって構成されるイベント基準に基づいてＵＥにおいてトリガされる。第２のＣＳＩ−ＲＳＲＰ報告スキームでは、報告は、非周期フィードバックを要求する許可を介して非周期報告に基づいてＵＥによってトリガされる。第３の構成では、ＣＳＩ−ＲＳＲＰ報告は、周期報告に基づいてトリガされ、ｅノードＢによって構成された報告タイムラインに従う。さらに、ポイントの循環、ＵＥ選択（Ｍ個の最良報告）、またはそれらの組合せは、これらの３つの報告スキームと組み合わせて使用され得る。
【００７１】
[0085]典型的なＣＳＩ−ＲＳＲＰ値は、９７個の異なる可能なＣＳＩ−ＲＳＲＰ値を与える７ビットで符号化される。ＣＳＩ−ＲＳベースのＣＳＩ−ＲＳＲＰは、ＵＥが最強ポイントを決定することにのみ関心があるときには、異なる可能なＣＳＩ−ＲＳＲＰ値のすべてを使用するとは限らない。したがって、一構成によれば、ＣＳＩ−ＲＳベースのＣＳＩ−ＲＳＲＰは、最強セルに基づいて差分的に符号化される。サービングセルと比較してしきい値を下回るポイントについての報告は、飽和し得る。差分報告は、１つの絶対的ＣＳＩ−ＲＳベースのＣＳＩ−ＲＳＲＰ報告に基づくことができる。代替として、基準点は、サービングセルのＣＲＳベースのＲＳＲＰ報告であり得る。
【００７２】
[0086]別の構成では、ＣＳＩ−ＲＳは、ＣｏＭＰセット管理または無線リソース管理（ＲＲＭ）のためのＣＳＩ−ＲＳＲＰ測定のために使用され、ＣＳＩ−ＲＳ周期性について制限された構成オプションがある（たとえば、ＣＳＩ−ＲＳの最も短い周期性は５ミリ秒（ｍｓ）である）。ＣＳＩ−ＲＳは可変オフセットを有し得、すなわち、ＣＳＩ−ＲＳは任意の所望のサブフレーム中に配置され得る。さらに、同じ構成の２つのＣＳＩ−ＲＳ’のための最小周期性は５ｍｓである。
【００７３】
[0087]ＣＳＩ−ＲＳポートを測定する前にＣＳＩ−ＲＳを待つように５ｍｓに等しいかまたはそれよりも大きいＤＲＸオン持続時間を設定することは、あまり効率的でないバッテリー電力使用につながり得る。そのような遅延がより頻繁に生じることになるので、様々な目的のためにＣＳＩ−ＲＳを使用するように構成されたＵＥについて、そのような非効率が増大する。一態様では、短い時間期間中のＣＳＩ−ＲＳのバーストが与えられる。バーストの後に長い休止が続き、次いで、ＣＳＩ−ＲＳの別のバーストが続き得る。ＣＳＩ−ＲＳのバーストは、ＵＥがＤＲＸサイクル中にオンであるときに生じ得る。別の構成では、短い時間期間中にＣＳＩ−ＲＳのバーストが受信される一方、単一のＣＳＩ−ＲＳがＣＳＩ−ＲＳのバースト間で周期的に送信される。
【００７４】
[0088]図８Ａに、１つの期間をもつ典型的なＣＳＩ−ＲＳ構成を示す。図８Ａに示すように、時間８０４における短いＤＲＸサイクルの各々において、１回のＣＳＩ−ＲＳ測定８０２が実行される。一構成によれば、図８Ｂに示されるように、密に位置するＣＳＩ−ＲＳのグループ８０６が構成される。ＣＳＩ−ＲＳは、固定の周期性でＣＳＩ−ＲＳを構成するのではなく、５ｍｓのオン持続時間８０８内で、グループ間のより大きい周期性をもって構成される。たとえば、短いまたは長いＤＲＸサイクルに合致するように、グループ間の４０ｍｓの周期性が構成され得る。本開示の一態様によれば、グループ８０６は、ＣＳＩ−ＲＳの１つのタイプからなり得る。本開示の別の態様では、グループ８０６は、ＣＳＩ−ＲＳＲＰのためのＣＳＩ−ＲＳ、ＣＳＩフィードバックのためのＣＳＩ−ＲＳ、ＣｏＭＰセット管理のためのＣＳＩ−ＲＳ、または干渉管理のためのＣＳＩ−ＲＳなど、マルチプルなタイプのＣＳＩ−ＲＳからなり得る。ＣＳＩ−ＲＳは、ＵＥがオン持続時間の期間中に起動するとき、ＵＥが、次のＤＲＸスリープ期間について非アクティブになる前に測定値を取得し得るように構成される。
【００７５】
[0089]本開示の別の態様によれば、図８Ｃに示すように、密に位置するＣＳＩ−ＲＳのグループ８１０が構成される。すなわち、ＣＳＩ−ＲＳ８１０は、５ｍｓのオン持続時間８１２内に構成され得る。また、ＣＳＩ−ＲＳ８１４は、グループ８１０間のシンボル中に周期的に与えられる。たとえば、短いまたは長いＤＲＸサイクルに合致するように、グループ８１０間の４０ｍｓの周期性が構成され得る。この構成では、単一のＣＳＩ−ＲＳ８１４はまた、グループ８１０間で周期的に繰り返すように構成される。たとえば、単一のＣＳＩ−ＲＳ８１４は、４０ｍｓの周期性で構成された密に位置するＣＳＩ−ＲＳのグループ８１０間で、１０ｍｓの周期性をもって構成され得る。
【００７６】
[0090]本開示の別の態様によれば、より大きい制御チャネルセクションがＤＲＸオン期間中に構成される。たとえば、この構成によれば、ｅＰＤＣＣＨなど、拡張制御チャネルの割振りサイズは、サブフレーム依存であり、ＤＲＸオン期間中に増加する。より大きい制御セクションは、同じＤＲＸオン期間中にある多くのＵＥが起動されることを可能にし、それにより、より効率的なスケジュールを提供し得る。
【００７７】
[0091]別の態様では、ｅＰＤＣＣＨ領域が無線リソース制御（ＲＲＣ：radio resource control）構成であるとき、ＲＲＣは、異なるサブフレームについて異なるｅＰＤＣＣＨ領域の構成を指定し得る。また別の構成では、ｅＰＤＣＣＨ領域の構成は動的にシグナリングされる。たとえば、ｅＰＤＣＣＨ領域の構成は、拡張物理制御フォーマットインジケータチャネル（ｅＰＣＦＩＣＨ：extended physical control format indicator channel）を導入することによってシグナリングされ得る。ｅＰＣＦＩＣＨ上のシグナリングは、ｅＰＤＣＣＨ領域がサブフレームベースで変化するか、またはサブフレームのグループベースで変化することを可能にする。
【００７８】
[0092]図９に、ワイヤレス通信のための方法９００を示す。ブロック９０２において、基地局が、異なるＵＥにリソースの重複するセットを割り振る。重複するリソースは、少なくともリソースの第１のセットとリソースの第２のセットとを含む。リソースの第１のセットは、ＣＳＩフィードバックなど、チャネル測定のために第１のＵＥに割り振られる。リソースの第２のセットは、ＣＳＩ−ＲＳＲＰ測定など、受信電力測定のために第２のＵＥに割り振られる。上述したように、ＵＥは、ゼロ電力ＣＳＩ−ＲＳリソースに対応する第３のＣＳＩ−ＲＳ構成タイプを用いてシグナリングされ得る。第３のＣＳＩ−ＲＳ構成タイプ中のゼロ電力ＣＳＩ−ＲＳリソースは、近隣セル中の測定を改善するため、およびサービングセルにおける干渉測定のために、ミュートされ得る。
【００７９】
[0093]ブロック９０４において、基地局は、リソースの第１のセットに少なくとも部分的に基づいてＣＳＩ報告を受信する。ＣＳＩ報告は、たとえば、ＣＳＩ報告のために特に生成されたＣＳＩ−ＲＳに基づくことができる。さらに、ブロック９０６において、基地局は、リソースの第２のセットに少なくとも部分的に基づいて受信電力測定報告を受信する。電力測定報告は、たとえば、電力測定報告のために特に生成されたＣＳＩ−ＲＳに基づくことができる。ＣＳＩ報告と受信電力測定報告との受信は、基地局がそれぞれのＵＥへのリソースの第１のセットとリソースの第２のセットとの割振りを送信したことに応答する。
【００８０】
[0094]一構成では、ｅノードＢ６１０は、割り振るための手段を含むワイヤレス通信のために構成される。一構成では、割振り手段は、割振り手段によって具陳される機能を実行するように構成されたコントローラ／プロセッサ６７５、送信プロセッサ６１６、および／またはメモリ６７６であり得る。ｅノードＢ６１０はまた、受信するための手段を含むように構成される。一構成では、受信手段は、受信手段によって具陳される機能を実行するように構成された受信プロセッサ６７０、復調器６１８、コントローラ／プロセッサ６７５、および／またはアンテナ６２０であり得る。別の構成では、上述の手段は、上述の手段によって具陳された機能を実行するように構成された任意のモジュールまたは任意の装置であり得る。
【００８１】
[0095]また別の構成では、ＵＥ６５０は、ワイヤレス通信のために構成され、受信するための手段を含む。一態様では、受信手段は、受信手段によって具陳された機能を実行するように構成された、コントローラ／プロセッサ６５９、メモリ６６０、受信プロセッサ６５６、変調器６５４、および／またはアンテナ６５２であり得る。
【００８２】
[0096]図１０は、例示的な装置１０００中の異なるモジュール／手段／コンポーネント間のデータフローを示す概念データフロー図である。装置１０００は、リソースの第１のセットに少なくとも部分的に基づいてＣＳＩ報告を受信する受信モジュール１００６を含む。さらに、受信モジュール１００６は、リソースの第２のセットに少なくとも部分的に基づいて電力測定報告を受信する。
【００８３】
[0097]装置１０００はまた、異なるＵＥにリソースの重複するセットを割り振る割振りモジュール１００４を含む。重複するリソースは、少なくともリソースの第１のセットとリソースの第２のセットとを含む。リソースの第１のセットは、ＣＳＩフィードバックなど、チャネル測定のために第１のＵＥに割り振られる。リソースの第２のセットは、ＣＳＩ−ＲＳＲＰ測定など、受信電力測定のために第２のＵＥに割り振られる。
【００８４】
[0098]割振りモジュールは、リソースの第１のセットとリソースの第２のセットとの割振りを送信モジュール１００８に送信する。送信モジュール１００８は、信号１０１２を介してリソースの第１のセットとリソースの第２のセットとをそれぞれのＵＥに送信し得る。受信モジュール１００６は、リソースの第１のセットとリソースの第２のセットとが送信モジュール１００８から送信されたことに応答して、ＣＳＩ報告と受信電力測定値とを受信する。ＣＳＩ報告と受信電力測定値とは、信号１０１０を介して受信され得る。ＣＳＩ報告はチャネル測定報告と呼ばれることがある。本装置は、図９の上述のフローチャート中のプロセスのステップの各々を実行する追加のモジュールを含み得る。したがって、上述のフローチャート図９中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェアコンポーネントであるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００８５】
[0099]別の構成では、例示的な装置１０００は、第１の周期性で１つまたは複数の非グループ化ＣＳＩ−ＲＳを受信することと、グループ化ＣＳＩ−ＲＳをバーストで受信することであって、バーストが第２の周期性を有する、受信することとを行うように構成された受信モジュール１００６のみを含む。
【００８６】
[00100]図１１は、処理システム１１１４を採用する装置１１００のためのハードウェア実装形態の一例を示す図である。処理システム１１１４は、バス１１２４によって概略的に表されるバスアーキテクチャを用いて実装され得る。バス１１２４は、処理システム１１１４の特定の適用例および全体的な設計制約に応じて、任意の数の相互接続バスおよびブリッジを含み得る。バス１１２４は、プロセッサ１１２２によって表される１つまたは複数のプロセッサおよび／またはハードウェアモジュールと、モジュール１１０２、１１０４と、コンピュータ可読媒体１１２６とを含む様々な回路を互いにリンクする。バス１１２４はまた、タイミングソース、周辺機器、電圧調整器、および電力管理回路など、様々な他の回路をリンクし得るが、これらの回路は当技術分野においてよく知られており、したがって、これ以上説明しない。
【００８７】
[00101]本装置は、トランシーバ１１３０に結合された処理システム１１１４を含む。トランシーバ１１３０は、１つまたは複数のアンテナ１１２０に結合される。トランシーバ１１３０は、伝送媒体を介して様々な他の装置と通信することを可能にする。処理システム１１１４は、コンピュータ可読媒体１１２６に結合されたプロセッサ１１２２を含む。プロセッサ１１２２は、コンピュータ可読媒体１１２６に記憶されたソフトウェアの実行を含む一般的な処理を担当する。ソフトウェアは、プロセッサ１１２２によって実行されたとき、処理システム１１１４に、いずれかの特定の装置について説明する様々な機能を実行させる。コンピュータ可読媒体１１２６はまた、ソフトウェアを実行するときにプロセッサ１１２２によって操作されるデータを記憶するために使用され得る。
【００８８】
[00102]処理システム１１１４は、異なるＵＥにリソースの重複するセットを割り振るための割振りモジュール１１０２を含む。処理システム１１１４はまた、リソースの第１のセットに少なくとも部分的に基づいてＣＳＩ報告を受信するための受信モジュール１１０４を含む。さらに、受信モジュール１１０４は、リソースの第２のセットに少なくとも部分的に基づいて電力測定報告を受信する。それらのモジュールは、プロセッサ１１２２中で動作し、コンピュータ可読媒体１１２６中に存在する／記憶された、ソフトウェアモジュールであるか、プロセッサ１１２２に結合された１つまたは複数のハードウェアモジュールであるか、またはそれらの何らかの組合せであり得る。本構成では、処理システム１１１４は、ｅノードＢ６１０のコンポーネントであり得、メモリ６７６および／またはコントローラ／プロセッサ６５９を含み得る。
【００８９】
[00103]別の構成では、処理システム１１１４の受信モジュール１１０４は、第１の周期性で１つまたは複数の非グループ化ＣＳＩを受信することと、グループ化ＣＳＩ−ＲＳをバーストで受信することであって、バーストが第２の周期性を有する、受信することとを行うように構成され得る。この構成では、処理システム１１１４は割振りモジュール１１０２を含まない。非グループ化ＣＳＩとグループ化ＣＳＩとを受信するように構成されたときに、処理システム１１１４は、ＵＥ６５０のコンポーネントであり得、メモリ６６０および／またはコントローラ／プロセッサ６５９を含み得る。
【００９０】
[00104]図１２に、ワイヤレス通信のための方法１２００を示す。ブロック１２０２において、ＵＥは、グループ化ＣＳＩ−ＲＳをバーストで受信し、バーストは第１の周期性を有する。さらに、ブロック１２０４において、ＵＥは、第２の周期性で１つまたは複数の非グループ化ＣＳＩ−ＲＳを受信する。すなわち、非グループ化ＣＳＩ−ＲＳは、グループ化ＣＳＩ−ＲＳ間のシンボル中で周期的に与えられ得る。第１の周期性は、短いまたは長いＤＲＸサイクルに一致するように構成され得る。一構成では、グループ化ＣＳＩ−ＲＳは、５ｍｓのＤＲＸオン持続時間内で構成され得る。たとえば、第１の周期性は、短いまたは長いＤＲＸサイクルに一致する４０ｍｓであり得る。この例では、非グループ化ＣＳＩ−ＲＳは、４０ｍｓの周期性で構成されたグループ化ＣＳＩ−ＲＳ間で１０ｍｓの周期性で構成され得る。
【００９１】
[00105]図１３に、本開示の一態様による、異なるタイプのＣＳＩ−ＲＳについて報告するための方法１３００を示す。ブロック１３０２において、ＵＥは、基準信号受信電力（ＲＳＲＰ）測定のためのＣＳＩ−ＲＳに基づいて電力測定値を与える。ブロック１３０４において、ＵＥは、ＣＳＩフィードバックのためのチャネル状態情報基準信号（ＣＳＩ−ＲＳ）に基づいてチャネル状態情報を報告する。本開示の態様によれば、ＲＳＲＰ測定のためのＣＳＩ−ＲＳは、ＣＳＩフィードバックのためのＣＳＩ−ＲＳと少なくとも同数のＣＳＩ−ＲＳリソースを割り振られる。
【００９２】
[00106]一構成では、ＵＥ６５０は、ワイヤレス通信のために構成され、電力測定値を報告するための手段とチャネル状態情報を報告するための手段とを含む。図６を参照すると、一構成では、報告手段は、報告手段によって具陳された機能を実行するように構成されたコントローラ／プロセッサ６５９、ＴＸプロセッサ６６８、変調器６５４、および／またはアンテナ６５２であり得る。また別の構成では、上述の手段は、上述の手段によって具陳された機能を実行するように構成された任意のモジュールまたは任意の装置であり得る。
【００９３】
[00107]図１４は、例示的な装置１４００中の異なるモジュール／手段／コンポーネント間のデータフローを示す概念データフロー図である。装置１４００は、ＣＳＩ−ＲＳを受信するために構成された受信モジュール１４０６を含む。ＣＳＩ−ＲＳは、信号１４１０を介して受信され得る。装置１４００はまた、ＣＳＩ−ＲＳベースの受信電力測定値を報告する第１の報告モジュール１４０２を含む。受信モジュール１４０６は、第１の報告モジュール１４０２を、受信ＣＳＩ−ＲＳに基づいてＣＳＩ−ＲＳベースの受信電力測定値を報告するようにトリガし得る。装置１４００はまた、チャネル状態情報を報告する第２の報告モジュール１４０４を含む。一構成では、受信モジュール１４０６は、第２の報告モジュール１４０４を、受信ＣＳＩ−ＲＳに基づいてチャネル状態情報を報告するようにトリガし得る。別の構成では、第１の報告モジュール１４０２は、第２の報告モジュール１４０４を、チャネル状態情報を報告するようにトリガし得る。
【００９４】
[00108]装置１４００はまた、本開示の態様による、ＣＳＩ−ＲＳ報告を送信するために構成された送信モジュール１４０８を含む。ＣＳＩ−ＲＳ報告は、第２の報告モジュール１４０４から受信したチャネル状態情報と第１の報告モジュール１４０２から受信したＣＳＩ−ＲＳベースの受信電力測定値とを含み得る。一構成では、送信モジュール１４０８は、第２の報告モジュール１４０４から、チャネル状態情報とＣＳＩ−ＲＳベースの受信電力測定値の両方を受信し得る。送信モジュール１４０８は、信号１４１２を介してＣＳＩ−ＲＳ報告を送信し得る。
【００９５】
[00109]装置１４００は、図１３の上述のフローチャート中のプロセスのステップの各々を実行する追加のモジュールを含み得る。したがって、図１３の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェアコンポーネントであるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００９６】
[00110]図１５は、処理システム１５１４を採用する装置１５００のためのハードウェア実装形態の一例を示す図である。処理システム１５１４は、バス１５２４によって概略的に表されるバスアーキテクチャを用いて実装され得る。バス１５２４は、処理システム１５１４の特定の適用例および全体的な設計制約に応じて、任意の数の相互接続バスおよびブリッジを含み得る。バス１５２４は、プロセッサ１５０４によって表される１つまたは複数のプロセッサおよび／またはハードウェアモジュールと、モジュール１５０２、１５０３と、コンピュータ可読媒体１５０６とを含む様々な回路を互いにリンクする。バス１５２４はまた、タイミングソース、周辺機器、電圧調整器、および電力管理回路など、様々な他の回路をリンクし得るが、これらの回路は当技術分野においてよく知られており、したがって、これ以上説明しない。
【００９７】
[00111]本装置は、トランシーバ１５１０に結合された処理システム１５１４を含む。トランシーバ１５１０は、１つまたは複数のアンテナ１５２０に結合される。トランシーバ１５１０は、伝送媒体を介して様々な他の装置と通信することを可能にする。処理システム１５１４は、コンピュータ可読媒体１５０６に結合されたプロセッサ１５０４を含む。プロセッサ１５０４は、コンピュータ可読媒体１５０６に記憶されたソフトウェアの実行を含む一般的な処理を担当する。ソフトウェアは、プロセッサ１５０４によって実行されたとき、処理システム１５１４に、いずれかの特定の装置について説明する様々な機能を実行させる。コンピュータ可読媒体１５０６はまた、ソフトウェアを実行するときにプロセッサ１５０４によって操作されるデータを記憶するために使用され得る。
【００９８】
[00112]処理システムは第１の報告モジュール１５０２と第２の報告モジュール１５０３とを含む。第１の報告モジュール１５０２は、第１のＣＳＩ−ＲＳタイプに基づいて電力測定値を報告することができる。第２の報告モジュール１５０３は、第２のＣＳＩ−ＲＳタイプに基づいてチャネル状態情報を報告することができる。それらのモジュールは、プロセッサ１５０４中で動作し、コンピュータ可読媒体１５０６中に存在する／記憶された、ソフトウェアモジュールであるか、プロセッサ１５０４に結合された１つまたは複数のハードウェアモジュールであるか、またはそれらの何らかの組合せであり得る。一構成では、処理システム１５１４は、ＵＥ６５０のコンポーネントであり得、メモリ６６０、送信プロセッサ６６８、受信プロセッサ６５６、変調器／復調器６５４ａ〜ｒ、アンテナ６５２ａ〜ｒ、および／またはコントローラ／プロセッサ６５９を含み得る。
【００９９】
[00113]さらに、本明細書の開示に関して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的なコンポーネント、ブロック、モジュール、回路、およびステップについて、上記では概してそれらの機能に関して説明した。そのような機能をハードウェアとして実装するか、ソフトウェアとして実装するかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈されるべきではない。
【０１００】
[00114]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェアコンポーネント、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１０１】
[00115]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に存在し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に存在し得る。ＡＳＩＣはユーザ端末中に存在し得る。代替として、プロセッサおよび記憶媒体は、ユーザ端末中に個別コンポーネントとして存在し得る。
【０１０２】
[00116]１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（disc）、光ディスク（disc）、デジタル多用途ディスク（disc）（ＤＶＤ）、フロッピーディスク（disk）およびｂｌｕ−ｒａｙディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【０１０３】
[00117]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願出願の当初の特許請求の範囲に記載された発明を付記する。
［書類名］特許請求の範囲
［Ｃ１］
ワイヤレス通信の方法であって、
異なるＵＥにリソースの重複するセットを割り振ることであって、前記重複するリソースが少なくともリソースの第１のセットとリソースの第２のセットとを含み、リソースの前記第１のセットがチャネル状態情報（ＣＳＩ）測定のために第１のＵＥに割り振られ、リソースの前記第２のセットが受信電力測定のために第２のＵＥに割り振られる、割り振ることと、
リソースの前記第１のセットに少なくとも部分的に基づいてチャネル状態情報報告を受信することと、
リソースの前記第２のセットに少なくとも部分的に基づいて受信電力測定報告を受信することと
を備える、ワイヤレス通信の方法。
［Ｃ２］
前記第１のセットよりも前記第２のセットにより多くの数のリソースが割り振られる、Ｃ１に記載の方法。
［Ｃ３］
前記第１のＵＥに前記第１のセットの前記割振りを送信することと、
前記第２のＵＥに前記第２のセットの前記割振りを送信することと
をさらに備える、Ｃ１に記載の方法。
［Ｃ４］
第３のＵＥに前記第１のセットの前記割振りと前記第２のセットの前記割振りとを送信することをさらに備える、Ｃ３に記載の方法。
［Ｃ５］
前記第３のＵＥの競合解消スキームに少なくとも部分的に基づいて、前記第３のＵＥから、電力測定報告、チャネル状態情報報告、またはそれらの組合せのうちの１つまたは複数を受信することをさらに備える、Ｃ４に記載の方法。
［Ｃ６］
前記電力測定報告、前記チャネル状態情報報告、またはそれらの組合せのうちの１つまたは複数を、許可、イベント基準、または報告タイムラインに少なくとも部分的に基づいてトリガされるように構成することをさらに備える、Ｃ５に記載の方法。
［Ｃ７］
前記電力測定報告、前記チャネル状態情報報告、またはそれらの組合せのうちの１つまたは複数が、１つのチャネル状態情報基準信号ベースの基準信号受信電力報告に少なくとも部分的に基づいて差分的に報告される、Ｃ５に記載の方法。
［Ｃ８］
グループ化チャネル状態情報基準信号（ＣＳＩ−ＲＳ）をバーストで受信することであって、前記バーストが第１の周期性を有する、受信することを備える、ワイヤレス通信の方法。
［Ｃ９］
第２の周期性で少なくとも１つの非グループ化ＣＳＩ−ＲＳを受信することをさらに備える、Ｃ８に記載の方法。
［Ｃ１０］
前記第２の周期性が第２の動作モードに対応し、前記第１の周期性が第１の動作モードに対応する、Ｃ９に記載の方法。
［Ｃ１１］
前記第２の周期性と前記第１の周期性の両方が同じモードに対応する、Ｃ９に記載の方法。
［Ｃ１２］
前記第２の周期性が非間欠受信（ＤＲＸ）モードに対応し、前記第１の周期性がＤＲＸモードに対応する、Ｃ９に記載の方法。
［Ｃ１３］
前記バーストの間の制御領域が非バーストの間の制御領域よりも大きい、Ｃ８に記載の方法。
［Ｃ１４］
ワイヤレス通信のための装置であって、
メモリと、
前記メモリに結合された少なくとも１つのプロセッサと
を備え、前記少なくとも１つのプロセッサは、
異なるＵＥにリソースの重複するセットを割り振ることであって、前記重複するリソースが少なくともリソースの第１のセットとリソースの第２のセットとを含み、リソースの前記第１のセットがチャネル状態情報（ＣＳＩ）のために第１のＵＥに割り振られ、リソースの前記第２のセットが受信電力測定のために第２のＵＥに割り振られる、割り振ることと、
リソースの前記第１のセットに少なくとも部分的に基づいてチャネル状態情報報告を受信することと、
リソースの前記第２のセットに少なくとも部分的に基づいて受信電力測定報告を受信することと
を行うように構成された、装置。
［Ｃ１５］
前記第１のセットよりも前記第２のセットにより多くの数のリソースが割り振られる、Ｃ１４に記載の装置。
［Ｃ１６］
前記少なくとも１つのプロセッサが、
前記第１のＵＥに前記第１のセットの前記割振りを送信することと、
前記第２のＵＥに前記第２のセットの前記割振りを送信することと
を行うようにさらに構成された、Ｃ１４に記載の装置。
［Ｃ１７］
前記少なくとも１つのプロセッサが、第３のＵＥに前記第１のセットの前記割振りと前記第２のセットの前記割振りとを送信するようにさらに構成された、Ｃ１６に記載の装置。
［Ｃ１８］
前記少なくとも１つのプロセッサが、前記第３のＵＥの競合解消スキームに少なくとも部分的に基づいて、前記第３のＵＥから、電力測定報告、チャネル状態情報報告、またはそれらの組合せのうちの１つまたは複数を受信するようにさらに構成された、Ｃ１７に記載の装置。
［Ｃ１９］
前記少なくとも１つのプロセッサが、前記電力測定報告、前記チャネル状態情報報告、またはそれらの組合せのうちの１つまたは複数を、許可、イベント基準、または報告タイムラインに少なくとも部分的に基づいてトリガされるように構成するようにさらに構成された、Ｃ１８に記載の装置。
［Ｃ２０］
前記電力測定報告、前記チャネル状態情報報告、またはそれらの組合せのうちの１つまたは複数が、１つのチャネル状態情報基準信号ベースの基準信号受信電力報告に少なくとも部分的に基づいて差分的に報告される、Ｃ１８に記載の装置。
［Ｃ２１］
ワイヤレス通信のための装置であって、
メモリと、
前記メモリに結合された少なくとも１つのプロセッサと
を備え、前記少なくとも１つのプロセッサは、グループ化チャネル状態情報基準信号（ＣＳＩ−ＲＳ）をバーストで受信することであって、前記バーストが第１の周期性を有する、受信することを行うように構成された、装置。
［Ｃ２２］
前記少なくとも１つのプロセッサが、第２の周期性で少なくとも１つの非グループ化ＣＳＩ−ＲＳを受信するようにさらに構成された、Ｃ２１に記載の装置。
［Ｃ２３］
前記第２の周期性が第２の動作モードに対応し、前記第１の周期性が第１の動作モードに対応する、Ｃ２２に記載の装置。
［Ｃ２４］
前記第２の周期性と前記第１の周期性の両方が同じモードに対応する、Ｃ２２に記載の装置。
［Ｃ２５］
前記第２の周期性が非間欠受信（ＤＲＸ）モードに対応し、前記第１の周期性がＤＲＸモードに対応する、Ｃ２２に記載の装置。
［Ｃ２６］
前記バーストの間の制御領域が非バーストの間の制御領域よりも大きい、Ｃ２１に記載の装置。
［Ｃ２７］
ワイヤレス通信のための装置であって、
異なるＵＥにリソースの重複するセットを割り振るための手段であって、前記重複するリソースが少なくともリソースの第１のセットとリソースの第２のセットとを含み、リソースの前記第１のセットがチャネル状態情報（ＣＳＩ）のために第１のＵＥに割り振られ、リソースの前記第２のセットが受信電力測定のために第２のＵＥに割り振られる、割り振るための手段と、
リソースの前記第１のセットに少なくとも部分的に基づいてチャネル状態情報報告を受信するための手段と、
リソースの前記第２のセットに少なくとも部分的に基づいて受信電力測定報告を受信するための手段と
を備える、ワイヤレス通信のための装置。
［Ｃ２８］
ワイヤレス通信のための装置であって、
グループ化チャネル状態情報基準信号（ＣＳＩ−ＲＳ）をバーストで受信するための手段であって、前記バーストが第１の周期性を有する、受信するための手段と、
前記受信されたグループ化ＣＳＩ−ＲＳに応答して、チャネル状態情報報告、受信電力測定報告、またはそれらの組合せのうちの１つまたは複数を送信するための手段と
を備える、ワイヤレス通信のための装置。
［Ｃ２９］
第２の周期性で少なくとも１つの非グループ化ＣＳＩ−ＲＳを受信するための手段をさらに備える、Ｃ２８に記載の装置。
［Ｃ３０］
ワイヤレス通信のためのコンピュータプログラム製品であって、前記コンピュータプログラム製品が、
プログラムコードを記録した非一時的コンピュータ可読媒体を備え、前記プログラムコードは、
異なるＵＥにリソースの重複するセットを割り振るためのプログラムコードであって、前記重複するリソースが少なくともリソースの第１のセットとリソースの第２のセットとを含み、リソースの前記第１のセットがチャネル状態情報（ＣＳＩ）のために第１のＵＥに割り振られ、リソースの前記第２のセットが受信電力測定のために第２のＵＥに割り振られる、プログラムコードと、
リソースの前記第１のセットに少なくとも部分的に基づいてチャネル状態情報報告を受信するためのプログラムコードと、
リソースの前記第２のセットに少なくとも部分的に基づいて受信電力測定報告を受信するためのプログラムコードと
を備える、コンピュータプログラム製品。
［Ｃ３１］
ワイヤレス通信のためのコンピュータプログラム製品であって、前記コンピュータプログラム製品が、
プログラムコードを記録した非一時的コンピュータ可読媒体を備え、前記プログラムコードは、
グループ化チャネル状態情報基準信号（ＣＳＩ−ＲＳ）をバーストで受信するためのプログラムコードであって、前記バーストが第１の周期性を有する、プログラムコードを備える、コンピュータプログラム製品。
［Ｃ３２］
前記プログラムコードが、第２の周期性で少なくとも１つの非グループ化ＣＳＩ−ＲＳを受信するためのプログラムコードをさらに備える、Ｃ３１に記載のコンピュータプログラム製品。
【図１】
0005981021.tif 000002
【図２】
0005981021.tif 000003
【図３】
0005981021.tif 000004
【図４】
0005981021.tif 000005
【図５】
0005981021.tif 000006
【図６】
0005981021.tif 000007
【図７】
0005981021.tif 000008
【図８Ａ】
0005981021.tif 000009
【図８Ｂ】
0005981021.tif 000010
【図８Ｃ】
0005981021.tif 000011
【図９】
0005981021.tif 000012
【図１０】
0005981021.tif 000013
【図１１】
0005981021.tif 000014
【図１２】
0005981021.tif 000015
【図１３】
0005981021.tif 000016
【図１４】
0005981021.tif 000017
【図１５】
0005981021.tif 000018